(57)【要約】  シェル（２）と、閉鎖位置から開放位置まで摺動経路に沿ってシェル（２）内で移動可能なスライド（７）とを含み、閉鎖位置で容器（１）の内部にアクセス不能であり、開放位置で容器（１）の内部にアクセス可能であるスライド及びシェル型容器（１）。シェル（２）は、摺動経路に沿って延びる案内スリット（８）を含み、スライド（７）の案内手段（５７、５９）が、案内スリット（８）と係合する。更に、スライドを形成するための単一ブランク及び案内手段を形成するための単一ブランクを開示する。【選択図】      図２
2013514947.tif 000002
【特許請求の範囲】
【請求項１】
スライド及びシェル型容器（１）であって、
シェル（２）と、
閉鎖位置から開放位置まで摺動経路に沿って前記シェル（２）内で移動可能であるスライド（７）と、
を含み、
前記閉鎖位置で容器（１）の内部にアクセス不能であり、
前記開放位置で容器（１）の内部にアクセス可能であり、
前記シェル（２）は、
前記摺動経路に沿って延びる案内スリット（８）、
を含み、
前記スライド（７）の案内手段（５７、５９）が、前記案内スリット（８）と係合する、
ことを特徴とする容器（１）。
【請求項２】
前記案内手段（５７、５９）は、
前記閉鎖位置で前記案内スリット（８）を覆い、かつ前記開放位置で該案内スリット（８）を少なくとも部分的に覆うカバーパネル（６）、
を含む、
ことを特徴とする請求項１に記載のスライド及びシェル型容器（１）。
【請求項３】
前記案内手段（５７、５９）は、
前記カバーパネル（６）と前記シェル（２）の中間で該カバーパネル（６）の内側と実質的に平行にかつそれに隣接して延びる案内パネル（３３、３４、４２、４３、６４、６５、７１、７２）と、
前記案内スリット（８）を通って延びる案内部分（５５、５６）と、
を含む、
ことを特徴とする請求項２に記載のスライド及びシェル型容器（１）。
【請求項４】
前記案内手段（５７）は、前記スライド（７）のブランク（２８）の一部であり、前記案内部分（５５）は、該スライド（７）のパネル（３２、３５、４２、４４）と前記案内パネル（３３、３４、４２、４３）の中間に設けられることを特徴とする請求項３に記載のスライド及びシェル型容器（１）。
【請求項５】
前記案内手段（５９）は、特に接着によって前記スライド（７）に取り付けられた内側パネル（６３、６６、７０、７３）を更に含むことを特徴とする請求項３に記載のスライド及びシェル型容器（１）。
【請求項６】
前記案内手段（５７、５９）は、前記カバーパネル（６）のそれぞれ上側及び下側に２つの案内パネル（３３、３４、４２、４３、６４、６５、７１、７２）を含み、
前記案内パネル（３３、３４、４２、４３、６４、６５、７１、７２）は、前記案内スリット（８）に向かって延び、
前記案内パネル（３３、３４、４２、４３、６４、６５、７１、７２）の各々において、前記案内スリット（８）を通って延びる案内部分（５５、５６）が設けられる、
ことを特徴とする請求項２から請求項５のいずれか１項に記載のスライド及びシェル型容器。
【請求項７】
前記２つの案内（５５、５６）部分は、前記開放位置と前記閉鎖位置の中間の前記スライド（７）の少なくともいくつかの位置で２つの案内スリット（２５、２６）に個々に受け取られることを特徴とする請求項６に記載のスライド及びシェル型容器（１）。
【請求項８】
案内スリット（８）が、前記シェル（７）の前壁（５）及び背面壁に設けられ、前記カバーパネル（６）は、容器（１）の前壁、容器（１）の１つの側壁、及び容器（１）の背面壁の周りに少なくとも部分的に延びることを特徴とする請求項２から請求項７のいずれか１項に記載のスライド及びシェル型容器。
【請求項９】
容器（１）を前記閉鎖位置に固定するために、第１の突起（７５）が、前記案内部分（５５、５６）上に前記案内スリット（８）の縁部と垂直に設けられ、第２の突起が、該案内スリット（８）の該縁部に該案内部分（５５、５６）と垂直に設けられることを特徴とする請求項１から請求項８のいずれか１項に記載のスライド及びシェル型容器。
【請求項１０】
前記スライド（７）は、その上部部分上に特に該スライド（７）の前記前壁（１０）又は背面壁（１１）のうちの一方に少なくとも延びる開口部（１２）を含むことを特徴とする請求項１から請求項９のいずれか１項に記載のスライド及びシェル型容器。
【請求項１１】
保持フラップ（２３、２４、５３、５４）が、前記スライド（７）上及び前記シェル（２）上のうちの少なくとも一方に設けられ、
前記保持フラップ（２３、２４、５３、５４）は、前記スライド（７）の前記開放位置でスライド（７）及びシェル（２）の他方の係合手段（２３、２４、５３、５４）と係合する、
ことを特徴とする請求項１から請求項１０のいずれか１項に記載のスライド及びシェル型容器。
【請求項１２】
前記スライド（７）は、喫煙物品、特にシガレットのような細長い喫煙物品を含むことを特徴とする請求項１から請求項１１のいずれか１項に記載のスライド及びシェル型容器。
【請求項１３】
スライド及びシェル型容器（１）のスライド（７）を形成するための単一ブランクであって、
前壁区画（２９）と、
側壁区画（３０）と、
背面壁区画（３１）と、
を含み、
各々が、
上側パネル（３２、３６、４１）と、
下側パネル（３５、４０、４４）と、
を含み、
前記背面壁区画（３１）又は前壁区画（２９）のうちの少なくとも一方が、
前記上側パネル（３２、４１）に隣接する上側案内パネル（３３、４２）と、
前記上側案内パネル（３３、４２）に隣接するカバーパネル（６）と、
前記カバーパネル（６）に隣接し、かつ前記下側パネル（３５、４４）に隣接する下側案内パネル（３４、４３）と、
を含み、
折り畳み線が、前記隣接するパネルの中間に設けられる、
ことを特徴とする単一ブランク。
【請求項１４】
前記背面壁区画（３１）及び前壁区画（２９）は、前記カバーパネル（６）及び案内パネル（３３、３４、４２、４３）を含み、前記側壁区画（３０）は、該背面壁区画（３１）及び前壁区画（２９）の該カバーパネル（６）の両方に隣接する側部カバーパネル（３８）を含み、
折り畳み線が、前記側部カバーパネル（３８）と前記カバーパネル（６）の中間に設けられる、
ことを特徴とする請求項１３に記載の単一ブランク。
【請求項１５】
スライド及びシェル型容器（１）の案内手段（５９）を形成するための単一ブランクであって、
上側パネル（６３、７０）と、
前記上側パネル（６３、７０）に隣接する上側案内パネル（６４、７１）と、
前記上側案内パネル（６４、７１）に隣接するカバーパネル（６）と、
前記カバーパネル（６）に隣接する下側案内パネル（６５、７２）と、
前記下側案内パネル（６５、７２）に隣接する下側パネル（６６、７３）と、
を含み、
折り畳み線が、前記隣接するパネルの中間に設けられる、
ことを特徴とする単一ブランク。
【発明の詳細な説明】
【技術分野】
【０００１】
本発明は、消費財のためのスライド及びシェル型容器に関する。本発明による容器は、シガレットのような喫煙物品のための容器として特定の用途を見出す。
【背景技術】
【０００２】
外側シェルと、外側シェル内にそれに対する摺動移動に向けて装着され、消費財が収容される内側スライドとを含むスライド及びシェル型容器内に消費財を包装することは公知である。そのような容器から消費財を取り出すために、消費者は、外側シェル内側の最初の位置から、消費財を取り出すことができる内側スライドの開放端部又は側部を部分的に露出させるために内側スライドが外側シェルから外向きに突出する開放位置まで内側スライドを摺動させる。国際特許出願ＷＯ  ２００８／０６５５４１  Ａ２は、外側シェル内の側部に対してスリットを作ることができる内側スライドを含むスライド及びシェル型容器を開示しており、スライドは、外側シェルの内壁によって案内される。
【先行技術文献】
【特許文献】
【０００３】
【特許文献１】ＷＯ  ２００８／０６５５４１  Ａ２
【特許文献２】ＵＳ−Ａ−４，７１４，０８２
【特許文献３】ＵＳ−Ａ−５，６９２，５２５
【発明の概要】
【発明が解決しようとする課題】
【０００４】
開放過程をより容易にする新しいスライド及びシェル型容器を提供することが本発明の目的である。
【課題を解決するための手段】
【０００５】
本発明により、シェル内で摺動経路に沿って延びる案内スリットの使用を通じて開放過程をより容易にし、スライドの案内手段が案内スリットと係合するスライド及びシェル型容器を提供する。従って、シェルに対するスライドの移動がより正確になり、容器の開閉が容易になる。更に、案内手段の案内スリットとの係合が、シェルに対して望ましくない方向へのスライドの移動を防止することができるので、容器の安定性が改善する。案内手段は、シェルと一体化するか又は個別の部品として含めるかのいずれかとすることができる。個別の部品の使用は、案内手段及びスライドに対して使用されるように摺動係合に対して最適化された異なる材料の恩典を可能にする。摺動経路は、必ずしも直線的に延びる必要がなく、湾曲した経路上に設けることもできる。
【０００６】
好ましくは、案内手段は、容器の閉鎖位置で案内スリットを覆いかつ容器の開放位置で少なくとも部分的に案内スリットを覆うカバーパネルを含む。カバーパネルにより、スライドを把持するためにシェル内に開口部を必要としないような容器の一体設計が可能になる。スライドは、カバーパネルに対して摺動経路の方向に力を加えることによって移動することができる。カバーパネルは、スライドを把持するための広い面を提供することができるので、容器の開閉が容易になる。特に、それは、片手だけで実行することができる。カバーパネル上にある一定のデザインを設けることができ、カバーパネルは、様々な形状で設けることができるので、容器の美的外観を望ましい目的に適合させることができる。特に、カバーパネル上に付加的な消費財関連情報を含めることができる。更に、覆われた案内スリットは、容器の外観を改善する。
【０００７】
一実施形態では、案内手段は、案内パネル及び案内部分を含む。案内パネルは、カバーパネルとシェルの中間でカバーパネルの内側に対して実質的に平行にかつそれに隣接して延びる。案内部分は、案内スリットを通って延びる。これは、案内手段を平坦な材料の１つのブランクのみから製造することを可能にする。従って、一体部品を提供する恩典に加えて、把持及び摺動係合に適する材料でブランクの片側のみを覆う必要があるだけであると考えられる。
【０００８】
一実施形態では、案内手段は、スライドのブランクの一部である。案内部分は、スライドのパネルと案内パネルの中間に設けられる。従って、本発明によるスライド及びシェル型容器は、１つがシェルのためで１つがスライドのための２つのブランクだけで製造することができる。従って、製造工程は、より効率的な容器構成工程を通じて改善することができる。
【０００９】
別の実施形態では、案内手段は、スライドに取り付けられた内側パネルを更に含む。内側パネルは、あらゆる適切な手段によって、しかし特に接着によって取り付けることができる。従って、案内手段は、スライドに取り付けることができ、スライド及び案内手段は、異なる材料から製造することができる。特に、案内手段に対して、プラスチック又は金属材料のようなより耐摩耗性のある材料を選択することができる。
【００１０】
好ましくは、案内手段は、それぞれカバーパネルの上側及び下側に２つの案内パネルを含む。案内パネルは、案内スリットに向けて延びている。案内パネルの各々において、案内スリットを通って延びる案内部分が設けられる。従って、カバーパネルは、２つの案内パネルを使用してスライドに接続され、従って、カバーパネルとスライドの中間の接続が改善される。更に、案内部分の各々は、案内の精度を改善するために案内スリットの１つの縁部と係合することができる。
【００１１】
一実施形態では、２つの案内部分は、容器内のスライドの開放位置と閉鎖位置の中間のスライドの少なくともいくつかの位置で２つの案内スリット内に個々に受け取られる。２つの案内スリットは、摺動経路に沿ってある一定の長さにわたって局所的に設けることができるが、案内部分は、残りの摺動経路に沿って１つの案内スリットの縁部だけによって案内される。シェル内のスライドの位置に応じて、２つの案内部分は、２つの別々の案内スリットに又は１つの案内スリットのみに受け取られる。従って、スライドの精度は、例えば、確実な閉鎖状態を可能にするためにスライドの閉鎖位置の近くで局所的に改善することができる。
【００１２】
一実施形態では、案内スリットは、シェルの前壁及び背面壁に設けられる。この実施形態のカバーパネルは、容器の前壁、容器の１つの側壁、及び容器の背面壁の周りに少なくとも部分的に延びる。容器の前面及び背面壁に案内スリットを設けることにより、案内精度を更に改善することができる。容器の３つの側部の周りに延びるカバーパネルは、容器の外観及び頑丈さを改善する。特に、容器の側部から可視である可能性がある案内手段は、カバーパネルによって覆われて保護される。
【００１３】
好ましくは、突起が、案内スリットの縁部に垂直な案内部分上に設けられ、かつ突起が、案内部分に垂直な案内スリットの縁部に設けられる。これは、容器を閉鎖位置に固定するためである。従って、スライドが完全に閉鎖位置に到達する直前に、２つの突起が互いに通過してクリック効果をもたらす。容器を開くために、突起及び隣接する材料が弾性変形するように突起の領域を曲げるのに十分な力が加えられるべきである。従って、容器は、閉鎖位置に固定される。突起は、案内部分、それぞれの案内スリットに応じたフラップの形態で設けることができる。
【００１４】
追加的に又は代替的に、これらのフラップはまた、容器を開放位置に固定するためにも設けることができる。
【００１５】
好ましくは、スライドは、スライドの前壁又は背面壁のうちの少なくとも一方に特に延びる開口部をその上部部分上に含む。これは、消費者のための容器の内部へのアクセスを可能にしかつ容易にする。
【００１６】
好ましくは、スライドは、喫煙物品、特にシガレットのような細長い喫煙物品を含む。容器は、スライドが閉鎖位置にある間にシガレットの確実な保存を可能にする。消費者が容器を容易に開いて喫煙物品を取り出すことができるので、喫煙物品へのアクセスが容易になる。
【００１７】
好ましくは、スライド上又はシェル上の少なくともいずれかに保持フラップが設けられる。保持フラップは、スライドの開放位置でスライド又はシェル上の係合手段と連結する。係合手段は、スライド又はシェルのそれぞれのブランクの一部でありかつそれぞれ容器のスライドの外側又はシェルの内側に接着された保持フラップによって形成することができる。保持フラップは、スライドがシェルから完全に引っ込むことができず、従って、容器が不本意に分解されるのを防止することを可能にする
【００１８】
本発明の目的はまた、前壁区画、側壁区画、及び背面壁区画を含むスライド及びシェル型容器のスライドを形成するための単一ブランクを提供することによって達成される。各区画は、上側パネル及び下側パネルを更に含む。背面壁区画又は前壁区画のうちの少なくとも一方は、上側パネルに隣接する上側案内パネルと、上側案内パネルに隣接するカバーパネルと、カバーパネルに隣接しかつ下側パネルに隣接する下側案内パネルとを含み、隣接するパネルの中間に折り畳み線が設けられる。好ましくは、折り畳み線は、平行である。従って、単一ブランクが折り畳み線に沿って折り畳まれ、かつ背面壁区画、側壁区画、及び前壁区画が折り畳まれる場合、案内手段を備えたスライドがもたらされた。
【００１９】
互いに対して隣接する個々のパネルは、通常は、一体ブランクのパネルであり、これらは、折り畳み線によって互いから区切られる。折り畳み線は、折り目線又は切り込み線とすることができる。
【００２０】
好ましくは、背面壁区画及び前壁区画は、カバーパネル及び案内パネルを含む。更に、側壁区画は、背面壁区画及び前壁区画のカバーパネルの両方のための接続折り畳み線を備えた隣接側部カバーパネルを含む。従って、案内手段は、このブランクから作り出されたスライドの前面及び背面壁に設けられる。更に、側部カバーパネルは、スライドの側部のある一定の領域を覆い、従って、スライドの３つの側部上の連続カバーパネルのために高品質の外観と頑丈さを備えた連続壁を作り出す。
【００２１】
好ましくは、背面壁区画及び前壁区画の案内パネルの中間に切り欠きが設けられる。それによって前面区画、側壁区画、及び背面壁区画の中間の折り畳み線でのブランクの折り畳み性が改善される。この改善は、単一ブランクが上側パネルと下側パネルの中間の折り畳み線に沿って折り畳まれた時に、切り欠きが、好ましくは、これらの折り畳み線に沿って延びるからである。
【００２２】
本発明の目的はまた、上側パネルと、上側パネルに隣接する上側案内パネルと、上側案内パネルに隣接するカバーパネルと、カバーパネルに隣接する下側案内パネルと、下側案内パネルに隣接する下側パネルとを含み、隣接するパネルの中間に折り畳み線が設けられるスライド及びシェル型容器の案内手段を形成するための単一ブランクによって達成される。好ましくは、これらの折り畳み線は、平行である。この単一ブランクは、スライド及びシェル型容器のスライドに接続することができる案内手段の形成を可能にする。これは、上述の様々な恩典、並びに別々に形成されたスライドの恩典を提供する。
【００２３】
本発明による容器の構成要素の相対位置を説明するのに使用される用語「前面」、「背面」、「上側」、「下側」、「側部」、「上部」、「底部」、及び他の用語は、好ましくは、摺動経路が側部を向いた直立位置の容器を意味する。用語「左」及び「右」は、容器を直立位置で前面から見た時に容器の側壁を基準にして使用される。用語「縦方向」は、底部から上部まで又はその逆を意味する。用語「横断方向」は、前壁、背面壁、又は側壁の１つを横切る縦方向に垂直な方向を意味する。
【００２４】
スライドの壁は、シェルに印刷された印しと同じか又は異なる印しを用いて印刷することができる。
【００２５】
好ましくは、スライドの前壁には、その上縁に切り欠き部分が設けられる。これは、シェルの前壁の表面積を有意に低減することなく容器内の消費財へのより便利なアクセスを可能にする。
【００２６】
スライドに加えて、容器内の消費財は、容器が開いている時にスライドの前壁の上縁の上方で可視である内側ライナを用いて包むことができる。
【００２７】
本発明による容器は、直角縦方向縁部及び直角横断方向縁部を備えた直方体形状とすることができる。代替的に、容器は、１つ又はそれよりも多くの丸形縦方向縁部、丸形横断方向縁部、傾斜付き縦方向縁部、又は傾斜付き横断方向縁部、又はその組合せを含むことができる。例えば、本発明による容器は、限定ではないが、以下を含むことができる。
−前壁上に１つ又は２つの縦方向丸形又は傾斜付き縁部、及び／又は
−背面壁上に１つ又は２つの縦方向丸形又は傾斜付き縁部、
−前壁上に１つ又は２つの横断方向丸形又は傾斜付き縁部、及び／又は
−背面壁上に１つ又は２つの横断方向丸形又は傾斜付き縁部、
−前壁上に１つの縦方向丸形縁部及び１つの縦方向傾斜付き縁部、及び／又は
−背面壁上に１つの横断方向丸形縁部及び１つの横断方向傾斜付き縁部、
−前壁上に１つ又は２つの横断方向丸形又は傾斜付き縁部、及び前壁上に１つ又は２つの縦方向丸形又は傾斜付き縁部、
−第１の側壁上に２つの縦方向丸形又は傾斜付き縁部、又は第２の側壁上に２つの横断方向丸形又は傾斜付き縁部。
【００２８】
容器が１つ又はそれよりも多くの丸形縁部を含み、かつ積層ブランクから作られる場合、好ましくは、ブランクは、容器内で丸形縁部を形成するために３つ、４つ、５つ、６つ、又は７つの切り込み線又は折り目線を含む。切り込み線又は折り目線は、容器の内側上又は容器の外側上のいずれかとすることができる。好ましくは、切り込み線又は折り目線は、約０．３ｍｍと４ｍｍの間だけ互いから離間している。
【００２９】
好ましくは、折り目線又は切り込み線の間隔は、積層ブランクの厚みの関数である。好ましくは、折り目線又は切り込み線の間の間隔は、積層ブランクの厚みよりも約０．５と約４倍の間で大きい。
【００３０】
容器が１つ又はそれよりも多くの傾斜付き縁部を含む場合、好ましくは、傾斜付きの１つ又はそれよりも多くの縁部は、約１ｍｍと約１０ｍｍの間、好ましくは、約２ｍｍと約６ｍｍの間の幅を有する。代替的に、容器は、２つの異なる傾斜が容器の縁部上に形成されるように離間した３つの平行な折り目線又は切り込み線によって形成された２重傾斜を含むことができる。
【００３１】
矩形横断方向断面の容器に対して代替的に、容器は、例えば、三角形、四角形、又は六角形のような多角形の断面、又は長円形、半長円形、円形、又は半円形の断面を有することができる。
【００３２】
容器が傾斜付き縁部を含み、かつ積層ブランクから作られる場合、傾斜は、積層ブランク内の２つの平行な折り目線又は切り込み線によって形成することができる。折り目線又は切り込み線は、第１の壁と第２の壁の間の縁部に対して対称に配置することができる。代替的に、折り目線又は切り込み線は、容器の第２の壁よりも容器の第１の壁内に傾斜がより遠くに延びるように、第１の壁と第２の壁の間の縁部に対して非対称に配置することができる。
【００３３】
容器は、以下に限定されるものではないが、厚紙、板紙、プラスチック、金属、又はその組合せを含むいずれかの適する材料から形成することができる。好ましくは、厚紙は、平方メートル当たり約１００グラムと平方メートル当たり約３５０グラムの間の重さを有する。
【００３４】
本発明による容器は、様々な消費財のためのパッケージとして使用することができる。特に好ましい実施形態では、本発明による容器は、喫煙物品を包装するのに使用される。本発明による容器は、以下に限定されるものではないが、公知の着火端部シガレット、シガー又はシガリロ、可燃性燃料要素又は熱源及びエーロゾル発生基体を含む加熱式喫煙物品（例えば、ＵＳ−Ａ−４，７１４，０８２に開示された種類のシガレット）、及び電気喫煙システムと共に使用するための喫煙物品（例えば、ＵＳ−Ａ−５，６９２，５２５に開示された種類のシガレット）を含む喫煙物品を包装するのに有利に使用することができる。
【００３５】
その寸法の適切な選択により、本発明による容器は、異なる総数の喫煙物品、又は異なる配置の喫煙物品を保持するように設計することができる。例えば、その寸法の適切な選択により、本発明による容器は、１０と３０の間の総数の喫煙物品を保持するように設計することができる。
【００３６】
本発明による容器は、消費財の１つ、２つ、３つ、４つ、又は５つの別々の束を保持することができる。別々の束は、前壁に対して及び背面壁に対して実質的に平行に、又は前壁に対して及び背面壁に対して実質的に垂直に配置することができる。
【００３７】
束内において、喫煙物品は、喫煙物品の総数、喫煙物品の寸法、又は容器の断面形状に応じて異なる丁合で配置することができる。例えば、喫煙物品は、束内に５、６、７、８、９、又は１０の単一の列に配置することができる。代替的に、喫煙物品は、２列又はそれよりも多くの列に配置することができる。２列又はそれよりも多くの列は、同じ数の喫煙物品を収容することができる。例えば、喫煙物品は、５、６、７、８、９、又は１０の２列、又は５、６、７、８、９、又は１０の３列、又は４、５、６、又は７の４列に配置することができる。代替的に、２列又はそれよりも多くの列は、互いに対して異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列（７−５−７）、６の中央列と５の外側２列（５−６−５）、６の中央列と７の外側２列（７−６−７）、７の中央列と６の外側２列（６−７−６）、９の中央列と８の外側２列（８−９−８）、又は６の中央列、５の外側１列、及び７の外側１列（５−６−７）に配置することができる。
【００３８】
本発明による容器は、同じ種類又は銘柄、又は異なる種類又は銘柄の喫煙物品を保持することができる。更に、フィルタなし喫煙物品及び様々なフィルタチップを供えた喫煙物品の両方、並びに異なる長さの喫煙物品（例えば、約４０ｍｍと約１８０ｍｍの間）、異なる直径の喫煙物品（例えば、約４ｍｍと約９ｍｍの間）を収容することができる。更に、喫煙物品は、風味の強度、吸引抵抗、及び全体的粒子物質送出量を異なるものにすることができる。容器が１つよりも多くの束を有する場合、同じ容器内の各束は、上に列挙したような同じか又は異なる種類の喫煙物品を保持することができる。
【００３９】
好ましくは、容器の寸法は、喫煙物品の長さ及び喫煙物品の丁合に適合される。典型的には、容器の外寸は、容器の内側に収容された喫煙物品の束の寸法よりも約０．５ｍｍから約５ｍｍの間で大きい。
【００４０】
好ましくは、本発明による容器は、容器の上部壁から底部壁まで測定された高さで約６０ｍｍと約１５０ｍｍの間の高さ、より好ましくは、約７０ｍｍと約１２５ｍｍの間の高さを有する。
【００４１】
好ましくは、本発明による容器は、容器の第１の側壁から第２の側壁まで測定された幅で約１２ｍｍと約１５０ｍｍの間の幅、より好ましくは、約７０ｍｍと約１２５ｍｍの間の幅を有する。
【００４２】
好ましくは、本発明による容器は、容器の前壁から背面壁まで測定された深さで約６ｍｍと約１００ｍｍの間の深さ、より好ましくは、約１２ｍｍと約２５ｍｍの間の深さを有する。
【００４３】
好ましくは、容器の高さ対容器の深さの比は、約０．３対１と約１０対１の間、より好ましくは、約２対１と約８対１の間、最も好ましくは、約３対１と約５対１の間である。
【００４４】
好ましくは、容器の幅対容器の深さの比は、約１対１と約１０対１の間、より好ましくは、約２対１と約８対１の間、最も好ましくは、約２対１と約３対１の間である。
【００４５】
本発明による容器の外部表面は、製造業者又は銘柄ロゴ、商標、スローガン、及び他の消費者情報及び印しを用いて印刷、エンボス、デボス、又はその他の方法で装飾することができる。代替的に又は追加的に、本発明による容器の外部表面は、ラッカー、金属化、ホログラム、発光性材料、又は容器の感触、匂い、又は外観を変えるいずれかの他の材料を用いて少なくとも部分的に覆うことができる。
【００４６】
本発明による容器のスライドが喫煙物品の１つ又はそれよりも多くの束を収容する場合、喫煙物品は、好ましくは、例えば、金属箔又は金属化紙の内側ライナに包まれる。
【００４７】
容器が喫煙物品を含む場合、容器は、廃棄物のための仕切り（例えば、灰又は吸い殻のための）、又はマッチ、ライター、消火手段、気分転換剤、又は電子機器のような他の消費財を更に含むことができる。他の消費財は、容器の外側に取り付けられるか、喫煙物品と共に容器内に収容されるか、容器の個別の仕切りに収容されるか、又はその組合せとすることができる。
【００４８】
充填された状態で、本発明による容器は、例えば、低密度又は高密度ポリエチレン、ポリプロピレン、配向ポリプロピレン、塩化ポリビニリデン、セルロースフィルム、又はその組合せの透明ポリマーフィルムを用いて従来の方式で収縮包装又はその他の方法で上包装することができる。本発明による容器が上包装される場合、上包装紙は、開封テープを含むことができる。開封テープは、好ましくは、開封テープが取り除かれた状態で、スライドが摺動経路に沿って自由に摺るように容器の周りのシェルの開いている側壁の直ぐ隣に位置決めされる。更に、容器の周りに第２の開封テープを位置決めすることができる。代替的に、開封テープは、容器の周りに横向きに設けることができる。
【００４９】
添付図面は、本発明の原理を説明するために本明細書の一部に組み込まれ、かつそれを形成する。図面は、本発明がどのように作られて使用されるかを図示して説明する例だけに制限されるように解釈すべきではない。更に別の特徴及び利点は、添付図面に示す本発明の以下のより具体的な説明から明らかになるであろう。
【図面の簡単な説明】
【００５０】
【図１】閉鎖状態にある本発明による容器の第１の実施形態の斜視図である。
【図２】開放状態にある本発明による容器の第１の実施形態の斜視図である。
【図３】本発明による容器のシェルのための単一ブランクの平面図である。
【図４】本発明によるスライドのための単一ブランクの実施形態の平面図である。
【図５】本発明による予め折り畳まれた状態のスライドのための単一ブランクの実施形態の平面図である。
【図６】本発明による案内手段のための単一ブランクの実施形態の平面図である。
【図７】案内手段の斜視図である。
【図８】案内手段と組み合わせることができるスライドの斜視図である。
【図９】開放位置にある本発明による容器の更に別の実施形態の斜視図である。
【図１０】閉鎖位置にある本発明による容器の更に別の実施形態の斜視図である。
【発明を実施するための形態】
【００５１】
図１には、本発明による容器１が閉鎖状態で示されている。容器１のシェル２は、上部壁３、右側壁４、前壁５、底部壁、及び背面壁を含む。シェル２は、その左側部が開いている。スライド７のカバーパネル６は、シェル２の外側前面側壁５に平行にかつ隣接して配置される。この実施形態では、対応するカバーパネルも、容器１の背面側に設けられることに注意すべきである。カバーパネル６は、スライド７の一体部品である。代替的に、カバーパネル６は、スライド７に接続することができる。
【００５２】
図２には、開放状態の容器１が示されており、シェル２の前壁５内に設けられた案内スリット８によって形成された摺動経路に沿ってスライド７が摺る。スライド７は、左側壁９、前壁１０、背面壁１１、及び底部壁を含む。更に、スライド７は、一部の実施形態では右側壁を含むことができる。スライド７の上側には、開口部１２が形成され、スライド７の上部上の残り部分は、上部壁を構成することができる。開口部１２は、前面側壁１０及び背面側壁１１において更に延び、スライド７内に含まれた消費物品へのアクセスを容易にする。
【００５３】
消費者は、カバーパネル６の位置でスライド７を把持し、かつ外壁のいずれかの位置、特に、シェル２の前面及び背面壁又は上部及び底部壁の位置でシェルを把持することにより、容器１を容易に開閉することができる。
【００５４】
図３には、シェル２の前壁５に対応する前壁パネル１４と、シェル２の右側壁４に対応する右側壁パネル１５と、シェル２の背面壁に対応する背面壁パネル１６とを含むシェル２を形成するための単一ブランク１３が示されている。上部壁パネル１７、１８及びダストフラップ１９がシェル２の上部壁３を形成するために設けられ、ダストフラップ１９は、シェル２の上部右縁部が適正に閉じられることを保証する。
【００５５】
底部壁パネル２０、２１及び下側ダストフラップ２２が、シェル２の底部壁を形成するために設けられ、ダストフラップ２２は、シェル２の底部右縁部が適正に閉じられることを保証する。前壁パネル１４及び背面壁パネル１６には、案内スリット８が横断方向に設けられる。案内スリット８は、製造中にスライド７のシェル２内への挿入をより簡単にするために、シェルブランク１３の側部に向いた高さが増加するように設計することができる。更に好ましい実施形態では、案内スリットの高さは、一定とし、ブランク１３の縁部だけで局所的に高くすることができる。
【００５６】
前壁パネル１４及び背面壁パネル１６の側縁には、上側保持フラップ２３及び下側保持フラップ２４が設けられる。しかし、別の実施形態では、上部壁パネル１７、１８及び底部壁パネル２０、２１、又は底部壁パネル２０、２１の側縁に保持フラップを設けることができる。
【００５７】
保持フラップ２３、２４は、シェル２の壁の内側に向けて折り畳まれる。特に、保持フラップ２３、２４は、シェル２の壁の内側に向けて接着することができる。
【００５８】
図３に示すブランク１３内の破線は、折り畳み線を示している。
【００５９】
好ましくは、案内スリット８は、摺動経路に沿った何らかの地点で、案内スリット８の内側端部から出ている舌部２７によって分離された２つの別々の案内スリット２５、２６に分割することができる。この特徴は、後で説明するスライド７の案内手段の案内部分をそこに個々に受け取ることができるので、案内スリット８の案内精度を改善する。
【００６０】
図４には、スライド７のための単一ブランク２８が示されている。単一ブランク２８は、上側パネル３２、上側案内パネル３３、カバーパネル６、下側案内パネル３４、及び下側パネル３５を備えた前壁区画２９を含む。上述のパネルは、この順序で互いに対して隣接し、図４に破線に示した折り畳み線がパネルの中間に設けられる。
【００６１】
スライド７のためのブランク２８の左側壁区画３０は、上側パネル３６、上側内側パネル３７、側部カバーパネル３８、下側内側パネル３９、及び下側パネル４０を含み、それらは、この順序で互いに対して隣接し、かつ前壁区画２９の対応するパネルに隣接し、隣接パネルの中間に折り畳み線が設けられる。
【００６２】
更に、スライド７のためのブランク２８は、上側パネル４１、上側案内パネル４２、カバーパネル６、下側案内パネル４３、及び下側パネル４４を備えた背面壁区画３１を含み、それらは、この順序で互いに対して隣接し、かつ左側壁区画３０の対応するパネルに隣接し、隣接パネルの中間に折り畳み線が設けられる。
【００６３】
上側及び下側案内パネル４２、４３と上側及び下側内側パネル３７、３９の中間には、それぞれ切り欠きが設けられる。更に、上側及び下側案内パネル３３、３４と上側及び下側内側パネル３７、３９の中間には、それぞれ切り欠きが設けられる。
【００６４】
更に、スライド７のためのブランク２８の各々は、前壁上側パネル３２と背面壁上側パネル４１に隣接する上部壁パネル４５、４６を含む。隣接パネルの中間に折り畳み線が設けられる。上部壁パネル４５、４６は、スライド７の上部壁を形成する。
【００６５】
スライド７の開口部１２を作り出すために、上部壁パネル４５、４６の各々は、前壁区画２９及び背面壁区画３１の全幅にわたって延びない。前壁上側パネル３２及び背面壁上側パネル４１内に切り欠き４７、４８が設けられる。従って、開口部１２は、スライド７内に含まれた消費物品のアクセスが容易になるようにスライド７の前面及び背面側壁１０、１１内に延びる。
【００６６】
ブランク２８は、スライド７の左側壁９のより安定性のある上側部分及び上縁を作り出すために、スライド７の内側に折り畳まれて上側左側壁パネル３６の背面に接着することができる上側左側壁フラップ４９を含む。
【００６７】
更に、ブランク２８は、ダストフラップ５２と共に、スライド７の下側左側縁が適正に閉じられることを可能にするスライド７の底部壁を形成する前壁底部フラップ５０及び背面壁底部フラップ５１を含む。
【００６８】
上側及び下側保持フラップ５３、５４は、上側及び下側前面及び背面壁パネル３２、３５、４１、４４の側部に設けられ、シェル２の保持フラップ２３、２４と連結するようにスライド７の外側に向けて折り畳まれる。従って、スライド７の保持フラップ５３、５４及びシェル２の保持フラップ２３、２４は、摺動経路の開口端で完全停止するようになる。従って、スライド７がシェル２から完全に取り除かれることを防止することができる。
【００６９】
ブランク２８の上側パネル３２、４１と上側案内パネル３３、４２の中間の折り畳み線は、シェル２の案内スリット８の上縁と係合するようになった上側案内部分５５を形成する。
【００７０】
それぞれ前壁区画２９、背面壁区画３１の下側案内パネル３４、４３と下側パネル３５、４４の中間の折り畳み線は、シェル２の案内スリット８の下縁と係合するようになった下側案内部分５６を形成する。
【００７１】
図５では、ブランク２８は、案内手段５７が予め折り畳まれたブランク２８の前壁区画２９と背面壁区画３１の両方に生成されるように、上側パネル３２、３６、４１と下側パネル３５、４０、４４の中間の折り畳み線に沿って既に折り畳まれている。
【００７２】
上側及び下側案内パネル３３、３４、４２、４３は、好ましい実施形態では、カバーパネル６の内側に接着される。
【００７３】
その後、ブランク２８は、スライド７の外側にカバーパネル６及び側部カバーパネル３８が設けられるように残りの折り畳み線に沿って折り畳まれる。次に、上部壁パネル４５、４６が互いに対して接着され、底側パネル５０、５１及びダストフラップ５２が互いに対して接着される。左側壁フラップ４９は、上側パネル３６に接着される。
【００７４】
スライド７は、次に、容器１の製造を完成させるためにシェル２内に挿入することができる。消費物品、特に喫煙物品は、それがシェル２内に挿入される前にスライド７内に提供することができることに注意すべきである。
【００７５】
特に、喫煙物品は、最初に容器１を開いた後に喫煙物品へのアクセスを可能にするために少なくとも部分的に取り除くことができる内側ライナに包まれる。
【００７６】
図６には、本発明による案内手段５９を形成するための単一ブランク５８を開示している。ブランク５８は、前面区画６０、左区画６１、及び背面区画６２を含む。
【００７７】
前面区画６０は、上側パネル６３、上側案内パネル６４、カバーパネル６、下側案内パネル６５、及び下側パネル６６を含み、これらは、このシーケンスで互いに対して隣接する。折り畳み線が、隣接パネルの中間に設けられる。
【００７８】
左区画６１では、パネル５８は、左側壁カバーパネル６７を含み、そこから上側及び下側案内パネル６８、６９が折り畳み線上に垂れている。上側及び下側フラップ６８、６９は、そのより安定性のある上縁及び下縁を設けるために左側部カバーパネル６７の内側上に折り畳むことができる。
【００７９】
背面区画６２は、上側パネル７０、上側案内パネル７１、カバーパネル６、下側案内パネル７２、及び下側パネル７３を含み、これらは、このシーケンスで互いに対して隣接し、かつパネルの中間に折り畳み線が設けられる。ここでもまた、上側案内部分５５は、上側パネル６３、７０と上側案内パネル６４、７１の中間に形成される。下側案内部分５６は、下側案内パネル６５、７２と下側パネル６６、７３の中間に形成される。
【００８０】
案内手段５９のためのパネル５８は、図７に示す構成に折り畳まれ、好ましい実施形態では、案内パネル６４、６５、７１、７２は、カバーパネル６の内側に接着される。
【００８１】
図８には、スライド７４が示されており、それに対して案内手段５９を特に接着することによって取り付けることができる。従って、図４の単一ブランクによって製造されたものに類似のスライドを達成することができる。図８に見ることができるように、スライド７４は、単一ブランク２８から製造されたスライド７と類似の保持フラップ５３、５４を含む。
【００８２】
図９には、本発明によるシェル及びスライド型容器１の更に別の実施形態が示されており、この実施形態では、第１の突起７５が、案内手段５７、５９の案内部分５５、５６に設けられる。更に、スライド７が閉鎖位置から開放位置まで摺る間に第１及び第２の突起７５及び７６が必ず互いに交差するように、案内スリット８内に突出する第２の突起７６が、案内スリット８の上縁及び下縁に設けられる。従って、スライド７は、閉鎖位置に固定される。第１の突起７５を含む案内部分５５、５６は、容器１の外側から見えないことを強調するために破線で示されている。突起の各々は、案内部分５５、５６又は案内スリット８から摺動経路内に突出する付加的なフラップによって形成することができる。
【００８３】
図１０には、カバーパネル６が、様々な販売目的のために及び容器の美的外観の価値を高めるために使用することができる特定の形状を有する本発明による容器１の更に別の実施形態が示されている。更に、この特定の形状は、カバーパネル６の把持を容易にすることができる。
【００８４】
一般的に、スライドは、図４に示すように１つの単一ブランクから、又は図８に示すような要素と図７に示すような案内手段との組合せのいずれかによって製造することができることを強調する必要がある。従って、後者の場合、案内手段のために及び摺動要素の残りの部分のために異なる材料を使用することができる。特に、案内パネルは、例えば接着することにより、カバーパネルに取り付けることができる。
【００８５】
折り畳み線は、単一ブランク内に設けるか、又は別々のパネルの接続部に設けることができることを強調する必要がある。更に、折り畳み線は、折り畳みを容易にするためにブランク材料において厚みを薄くした線を提供することができ、又はそれに沿って折り畳みを意図するが、残りのブランクに対して修正されないような線を単に意味することができる。
【符号の説明】
【００８６】
１  容器
２  シェル
６  カバーパネル
７  スライド
８  案内スリット
１２  開口部
【図１】
2013514947.tif 000003
【図２】
2013514947.tif 000004
【図３】
2013514947.tif 000005
【図４】
2013514947.tif 000006
【図５】
2013514947.tif 000007
【図６】
2013514947.tif 000008
【図７】
2013514947.tif 000009
【図８】
2013514947.tif 000010
【図９】
2013514947.tif 000011
【図１０】
2013514947.tif 000012
【国際調査報告】
2013514947.tif 000013
2013514947.tif 000014
2013514947.tif 000015